(57)【特許請求の範囲】
【請求項１】
車内から料金の投入及び釣銭の取り出しが行われる料金収受装置において、前面パネルにより前面を覆われた筐体と、前記前面パネルに設けられる料金の投入部と、前記前面パネルの前記投入部よりも下方に開口する開口部と、前記前面パネルの背面に取り付けられて前記開口部に臨む箱状に形成されるとともに釣銭が排出される排出部と、前記開口部を覆って上端で枢支されるとともに前記排出部を開閉する外開きのカバーとを備え、前記カバーが、前記前面パネルの背面側に配されるとともに前記排出部に第１軸部で軸支される第１回動部と、第１回動部の下部に第２軸部で軸支される第２回動部とを有し、第２回動部の開放端が前記前面パネルに当接する位置まで前記カバーを開くことができることを特徴とする料金収受装置。
【請求項２】
第１軸部が前記開口部の上縁よりも上方に配され、第２軸部が前記開口部の上縁よりも下方に配されることを特徴とする請求項１に記載の料金収受装置。
【請求項３】
前記カバーの回動範囲内で第２軸部が前記前面パネルの背面側に配され、第２軸部が第１回動部及び第２回動部に設けた軸孔にシャフトを挿通して形成されることを特徴とする請求項１または請求項２に記載の料金収受装置。
【請求項４】
前記カバーを開いて第２回動部の開放端が前記前面パネルに当接した際に、前面に露出する第２回動部の裏面が第２軸部側の端部から上方に向かって前方に傾斜して配置又は鉛直に配置されることを特徴とする請求項３のいずれかに記載の料金収受装置。
【請求項５】
前記排出部内にレシートが排出されることを特徴とする請求項１〜請求項４のいずれかに記載の料金収受装置。
【請求項６】
第１回動部が金属により形成され、第２回動部が透明な樹脂により形成されることを特徴とする請求項１〜請求項５のいずれかに記載の料金収受装置。
【請求項７】
請求項１〜請求項６のいずれかに記載の料金収受装置を被洗浄車両の進入経路に配したことを特徴とする洗車機。
【発明の詳細な説明】
【技術分野】
【０００１】
本発明は、車内から料金の投入及び釣銭の取り出しを行う料金収受装置及びそれを備えた洗車機に関する。
【背景技術】
【０００２】
給油所等に設置される従来の洗車機は特許文献１に開示される。この洗車機は洗車機本体及びリモートパネル（料金収受装置）を備えている。
【０００３】
洗車機本体は門型に形成され、被洗浄車両を跨いで前後方向に移動する。洗車機本体の上部や側部には回転ブラシや空気を送出するブロアが設けられる。回転ブラシはモータにより回転し、洗車時に被洗浄車両に沿って摺動して洗浄する。ブロアは回転ブラシによる洗浄後に空気を送出して被洗浄車両を乾燥させる。
【０００４】
リモートパネルは被洗浄車両の進入経路上に設置され、前面パネルにより前面を覆われた筐体を有している。前面パネルの上部には料金の投入部が設けられ、下端部には開口部が開口する。前面パネルの背面側には開口部に臨む釣銭の排出部が取り付けられる。排出部に排出される釣銭は開口部を介して取り出される。
【０００５】
上記構成の洗車機において、ユーザが操作パネルの面前に停止して料金を投入して洗車条件を設定する。ユーザは排出部から排出されるレシートや釣銭を受領して所定の洗車開始位置まで被洗浄車両を移動する。その後、洗車機本体は被洗浄車両に対して前後方向に移動し、被洗浄車両の洗浄及び乾燥を行う。
【先行技術文献】
【特許文献】
【０００６】
【特許文献１】特開２０１２−４０９３６公報
【発明の概要】
【発明が解決しようとする課題】
【０００７】
しかしながら、上記従来の洗車機によると、排出部に排出される釣銭が開口部を介して飛び出し、地面に落下することがある。これにより、洗車機の利便性が低下する問題あった。
【０００８】
この問題を解決するために、開口部にカバーを設けることで釣銭の飛び出しを防止することができる。この時、内開きのカバーを設けると、前面パネル上を流下する雨水がカバーの前面を伝って排出部内に浸入する。また、外開きのカバーの回動軸を前面パネルの前面側に設けると、前面パネル上を流下する雨水が前面パネルとカバーとの隙間から排出部内に浸入する。このため、回動軸を前面パネルの背面側に配して下端の開放端が開口部の前方に配された外開きのカバーが設けられる。これにより、前面パネル上を流下する雨水はカバーの前面を伝って開口部の前方下方に案内される。
【０００９】
しかし、この構成によると、運転席の窓位置が高い被洗浄車両の運転者が釣銭を取り出す際に、開かれたカバーが開口部の上端に当接して手指を排出部内に挿入しにくくなる。このため、釣銭を容易に取り出すことができず、洗車機の利便性が悪い問題がある。また、開口部の上端に当接したカバーが更に開く方向に加重されると、カバーが破損する問題もある。
【００１０】
本発明は、利便性を向上するとともに破損を防止できる料金収受装置及びそれを備えた洗車機を提供することを目的とする。
【課題を解決するための手段】
【００１１】
上記目的を達成するために本発明は、車内から料金の投入及び釣銭の取り出しが行われる料金収受装置において、前面パネルにより前面を覆われた筐体と、前記前面パネルに設けられる料金の投入部と、前記前面パネルの前記投入部よりも下方に開口する開口部と、前記前面パネルの背面に取り付けられて前記開口部に臨む箱状に形成されるとともに釣銭が排出される排出部と、前記開口部を覆って上端で枢支されるとともに前記排出部を開閉する外開きのカバーとを備え、前記カバーが、前記前面パネルの背面側に配されるとともに前記排出部に第１軸部で軸支される第１回動部と、第１回動部の下部に第２軸部で軸支される第２回動部とを有し、第２回動部の開放端が前記前面パネルに当接する位置まで前記カバーを開くことができることを特徴とする。
【００１２】
また、本発明は上記構成の料金収受装置において、第１軸部が前記開口部の上縁よりも上方に配され、第２軸部が前記開口部の上縁よりも下方に配されることを特徴とする。
【００１３】
また、本発明は上記構成の料金収受装置において、前記カバーの回動範囲内で第２軸部が前記前面パネルの背面側に配され、第２軸部が第１回動部及び第２回動部に設けた軸孔にシャフトを挿通して形成されることを特徴とする。
【００１４】
また、本発明は上記構成の料金収受装置において、前記カバーを開いて第２回動部の開放端が前記前面パネルに当接した際に、前面に露出する第２回動部の裏面が第２軸部側の端部から上方に向かって前方に傾斜して配置又は鉛直に配置されることを特徴とする。
【００１５】
また、本発明は上記構成の料金収受装置において、前記排出部内にレシートが排出されることを特徴とする。
【００１６】
また、本発明は上記構成の料金収受装置において、第１回動部が金属により形成され、第２回動部が透明な樹脂により形成されることを特徴とする。
【００１７】
また、上記目的を達成するために本発明は、料金収受装置を被洗浄車両の進入経路に配したことを特徴とする。
【発明の効果】
【００１８】
本発明によると、カバーが、前面パネルの背面側に配されるとともに排出部に第１軸部で軸支される第１回動部と、第１回動部の下部に第２軸部で軸支される第２回動部とを有し、第２回動部の開放端が前面パネルに当接する位置までカバーを開くことができる。これにより、利便性を向上するとともにカバーの破損を防止できる。
【図面の簡単な説明】
【００１９】
【図１】本発明の一実施形態の洗車機を示す側面図
【図２】本発明の一実施形態の洗車機を示す正面図
【図３】本発明の一実施形態の洗車機のリモートパネルの正面図
【図４】図３のＡ−Ａ線断面図
【図５】本発明の一実施形態の洗車機のリモートパネルのカバーを示す背面図
【図６】本発明の一実施形態の洗車機のリモートパネルのカバーを開いた状態を示す断面図
【図７】本発明の一実施形態の洗車機のリモートパネルのカバーを開いた状態を示す断面図
【図８】本発明の一実施形態の洗車機のリモートパネルのカバーを開いた状態を示す断面図
【図９】本発明の一実施形態の洗車機のリモートパネルのカバーを後方へ押圧した状態を示す断面図
【発明を実施するための形態】
【００２０】
以下に本発明の実施形態を図面を参照して説明する。図１、図２は本発明の一実施形態の洗車機ＷＡを示す側面図及び正面図である。洗車機ＷＡは洗車機本体１、レール２及びリモートパネル３２（料金収受装置）を備えている。洗車機本体１は左右の対向する２つのスタンド部９０と、スタンド部９０の上端を連結する天井部９１とを有した門型に形成される。
【００２１】
レール２は地面Ｇ上に左右一対設けられ、スタンド部９０の底面に設けた車輪３がレール２上に配される。これにより、洗車機本体１はレール２上に立設し、走行モータ（不図示）の駆動によりレール２上を走行して被洗浄車両ＣＡに対して前後に相対移動する。
【００２２】
スタンド部９０には洗剤やワックス等の各種液剤を貯液した複数の貯液タンク（不図示）を収納するタンク収納部３０が配される。タンク収納部３０の上方には市水及び各貯液タンクからの液剤を分配する分配配管部３１が設けられる。分配配管部３１には噴射ノズルからなる第１、第２浄水ノズル１１、１３、第１、第２洗剤ノズル１２、１５、撥水コートノズル１４、ワックスノズル１６がそれぞれ電磁弁（不図示）を介して導出される。
【００２３】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対してシャンプーなどの液体を噴射する。撥水コートノズル１４及びワックスノズル１６は洗車機本体１の後面に配される。撥水コートノズル１４は被洗浄車両ＣＡに対して撥水コート剤の液体を噴射する。ワックスノズル１６は被洗浄車両ＣＡに対して液体のワックスを噴射する。
【００２４】
洗車機本体１の前面上部、側部には車両形状センサ８、９が設けられている。車両形状センサ８、９は光電センサや超音波センサ等から成り、洗車機本体１に進入する被洗浄車両ＣＡの外面形状や装備品を検知する。
【００２５】
洗車機本体１の右側のスタンド部９０の前面には操作パネル７が配される。操作パネル７は洗車条件を設定する操作ボタン（不図示）を備えている。
【００２６】
洗車機本体１には気流を発生して被洗浄車両ＣＡを乾燥させるブロア２０が設けられる。ブロア２０にはトップ送風ノズル２１及びサイド送風ノズル２２が接続される。トップ送風ノズル２１は天井部９１に設けられ、被洗浄車両ＣＡの上面に向けて送風する。サイド送風ノズル２２は洗車機本体１の両側部にそれぞれ設けられ、被洗浄車両ＣＡの側面に向けて送風する。
【００２７】
洗車機本体１には被洗浄車両ＣＡ上に摺動して駆動モータ（不図示）により回転してブラッシングするトップブラシ４、サイドブラシ５及びロッカーブラシ６が設けられている。トップブラシ４は天井部９１に設けられ、被洗浄車両ＣＡの上面に沿って移動して被洗浄車両ＣＡの上面を洗浄する。サイドブラシ５は左右のスタンド部９０に設けられている。サイドブラシ５によって被洗浄車両ＣＡの前面、両側面及び後面が洗浄される。ロッカーブラシ６は左右のスタンド部９０の下部に設けられ、被洗浄車両ＣＡの両側面の下部を洗浄する。
【００２８】
洗車機本体１の進入経路ＳＴ上にはリモートパネル３２（料金収受装置）が配される。図３はリモートパネル３２の正面図を示している。
【００２９】
リモートパネル３２は地面Ｇ（図１参照）に立設した支柱３４により支持される筐体３３を有している。筐体３３は前面パネル３３ａにより前面が覆われ、正面視縦長の矩形に形成される。
【００３０】
前面パネル３３ａの中央部には表示部４６が設けられている。表示部４６は前面にタッチパネルを配した液晶パネル等により形成される。表示部４６にはシャンプーを用いて洗車を行うボタン、ワックス掛けを行うボタン、撥水コートを行うボタン、乾燥を行うボタン、装備品を設定する各種設定するボタン等（いずれも不図示）が表示される。これらのボタン操作により洗車条件の設定が可能である。
【００３１】
前面パネル３３ａの表示部４６よりも上方には昇降ボタン４５、カード挿入口４４、紙幣挿入口４３、コイン挿入口４２及び返却レバー４１が設けられる。昇降ボタン４５は筐体３３の昇降を指示する。これにより、被洗浄車両ＣＡの運転席の窓の高さに応じて筐体３３が昇降され、表示部４６が所望位置に配置される。
【００３２】
カード挿入口４４は料金の支払い等を行うカードが挿入される。紙幣挿入口４３は紙幣が挿入され、コイン挿入口４２はコインが挿入される。従って、カード挿入口４４、紙幣挿入口４３及びコイン挿入口４２は料金を投入する投入部を構成する。返却レバー４１はカード及び紙幣を挿入方向の逆方向に戻すとともに、コインを後述する排出部３６に返却する。
【００３３】
前面パネル３３ａの左側の下部には開口部３５が開口する。開口部３５は表示部４６の下方に配され、外開きのカバー５０により覆われる。前面パネル３３ａの背面側には開口部３５に臨む箱状の排出部３６が取り付けられる。排出部３６には釣銭や返却されたコインが排出される。
【００３４】
図４は図３のＡ−Ａ線断面図を示し、図５はカバー５０の背面図（図４の矢印Ｂから見た図）を示している。排出部３６の上方には排出部３６に臨むレシート案内部３３ｂ及びコイン案内部３３ｃが設けられる。レシート案内部３３ｂはコイン案内部３３ｃよりも後方に配され、排出部３６内にレシートを案内する。コイン案内部３３ｃは後方に向けて開口し、釣銭や返却レバー４１の操作により返却されるコインを排出部３６に案内する。これにより、釣銭やレシートが排出部３６内に落下する。
【００３５】
カバー５０は回動部５５（第１回動部）及び回動部６０（第２回動部）を有している。回動部５５は金属板を折曲して形成される。回動部５５の上端部には両側端から前方に折曲された一対の側壁５５ａが設けられ、側壁５５ａには軸孔５５ｂが形成される。回動部５５の下端部には両側端から前方に折曲された一対の側壁５５ｃが設けられ、軸孔５５ｄが形成される。側壁５５ｃは側壁５５ａよりも左右方向の内側に配される。
【００３６】
軸孔５５ｂにはシャフト５１が挿通され、シャフト５１の左右の端部は排出部３６に軸支されている。これにより、回動部５５を軸支する第１軸部６１が排出部３６及び軸孔５５ｂにシャフト５１を挿通して形成される。また、シャフト５１は開口部３５の上縁３５ａよりも上方に配されている。
【００３７】
回動部６０は透明な樹脂成形品により形成され、上端部を開口部３５の後方で回動部５５に軸支される。回動部６０の下端の開放端６０ｃは開口部３５の前方に突出して前方に向かって湾曲し、開口部３５よりも下方に配される。回動部６０の上端部には前方に突出する左右一対の側壁６０ａが設けられ、側壁６０ａには軸孔６０ｂが形成される。
【００３８】
側壁６０ａは回動部５５の側壁５５ｃよりも外側に配され、軸孔６０ｂ及び軸孔５５ｄにはシャフト５２が挿通されている。これにより、回動部６０を軸支する第２軸部６２が軸孔６０ｂ、軸孔５５ｄにシャフト５２を挿通して形成される。また、シャフト５２は開口部３５の上縁３５ａよりも下方に配されている。尚、第２軸部６２は前面パネル３３ａの背面側に配され、シャフト５２の左右の端部は排出部３６の両側壁によって抜け止めされている。
【００３９】
上記構成の洗車機ＷＡにおいて、ユーザが運転して被洗浄車両ＣＡをリモートパネル３２の面前で停車させ、被洗浄車両ＣＡの洗車条件の設定を被洗浄車両ＣＡ内から行う。この時、表示部４６を所望位置に配置されるように昇降ボタン４５を操作する。
【００４０】
洗車条件の設定を終えると、ユーザはカバー５０を開き、排出部３６内に排出された釣銭やレシートを取り出す。図６はこの時の状態を示す排出部３６の側面断面図である。被洗浄車両ＣＡの窓から手Ｈを延ばして指先を掛けた開放端６０ｃが持ち上げられ、手Ｈの甲をカバー５０の裏面に摺動させて手Ｈが排出部３６内に挿入される。この時、回動部６０が手Ｈの甲に押され、回動部５５が後方に回動して回動部６０の第２軸部６２が上昇する。このため、開口部３５を広い面積で開くことができ、釣銭やレシートを容易に取り出すことができる。
【００４１】
筐体３３の高さは車高の低い被洗浄車両ＣＡ（セダンやコンパクトカー等）の窓の下端が開口部３５と略同じ高さになるように初期設定される。このため、車高の低い被洗浄車両ＣＡのユーザは初期設定の筐体３３の高さで排出部３６から釣銭等を取り出す。
【００４２】
また、車高の高い被洗浄車両ＣＡ（ワゴンやワンボックス等）のユーザは昇降ボタン４５（図３参照）を操作して筐体３３を上昇させる。この時、窓の下端が開口部３５と略同じ高さに配されると、前述の図６と同様に釣銭等が取り出される。しかし、筐体３３の上昇不足によって窓の下端が開口部３５から上方に大きく離れると、手Ｈが上方から開口部３５に挿入される。
【００４３】
図７はこの時の状態を示す排出部３６の側面断面図である。窓から延ばした手Ｈの指先を掛けた開放端６０ｃが持ち上げられてカバー５０が開かれ、手Ｈが斜め上方から排出部３６内に挿入される。この時、開かれたカバー５０の回動部５５は前方に回動して回動部６０の第２軸部６２が前進する。第２軸部６２が開口部３５の上縁３５ａよりも下方に配されるため、カバー５０を開口部３５の上縁３５ａと干渉させずに前面パネル３３ａに対向するように広く開くことができる。これにより、釣銭やレシートを容易に取り出すことができる。
【００４４】
また、図８に示すようにカバー５０が更に開かれると、回動部６０の開放端６０ｃが前面パネル３３ａに当接して回動部６０の回動が規制される。この時、第２軸部６２が前面パネル３３ａの背面側で開口部３５の近傍まで前進し、回動部６０が開口部３５の上縁３５ａに対して離れている。また、前面に露出する回動部６０の裏面が第２軸部６２側の端部から上方に向かって前方に傾斜して配置される。
【００４５】
回動部６０が開口部３５の上縁３５ａに対して離れるため、開口部３５の上縁３５ａからの加重によるカバー５０の破損を防止することができる。また、第２軸部６２はカバー５０の回動範囲内で前面パネル３３ａの背面側に配されるため、排出部３６の側壁によってシャフト５２の脱落を防止することができる。
【００４６】
尚、回動部６０が開口部３５の上縁３５ａに当接し、回動部６０の弾性変形によって開放端６０ｃが前面パネル３３ａに当接してもよい。この時、回動部６０が開口部３５の上縁３５ａから加重されるが、回動部６０の弾性変形の範囲内の加重であるためカバー５０の破損を防止することができる。
【００４７】
図９はカバー５０を閉じた状態で前方から押圧された状態を示している。カバー５０が前方から押圧されると、回動部５５が後方に回動して回動部６０の上部が後方に移動する。このため、前方からの加重を回避してカバー５０の破損を防止することができる。この時、回動部６０の上端６０ｄが釣銭案内部３３ｃの底壁３３ｄに当接する。このため、カバー５０の下端（開放端６０ｃ）が排出部３６内に進入することを防止できる。
【００４８】
排出部３６から釣銭やレシートを取り出したユーザは被洗浄車両ＣＡを移動させて所定の洗浄開始位置に停止する。その後、洗車機本体１が前後方向に移動して各ブラシによる洗浄を行い、各送風ノズルによる送風により被洗浄車両ＣＡを乾燥させる。
【００４９】
本実施形態によると、カバー５０が、前面パネル３３ａの背面側に配されるとともに排出部３６に第１軸部６１で軸支される回動部５５（第１回動部）と、回動部５５の下部に第２軸部６２で軸支される回動部６０（第２回動部）とを有し、回動部６０の開放端６０ｃが前面パネル３３ａに当接する位置までカバー５０を開くことができる。これにより、開口部３５内に雨水の進入を防止するとともに、カバー５０の破損を防止する。さらに、カバー５０の開閉範囲を大きくして容易に釣銭を取得できる。これにより、リモートパネル３２及び洗車機本体１の利便性を向上できる。
【００５０】
また、第１軸部６１が開口部３５の上縁３５ａよりも上方に配され、第２軸部６２が開口部３５の上縁３５ａよりも下方に配される。これにより、カバー５０の開閉範囲を大きくしたカバー５０を容易に実現することができる。
【００５１】
また、カバー５０の回動範囲内で第２軸部６２が前面パネル３３ａの背面側に配され、第２軸部６２が回動部５５及び回動部６０に設けた軸孔５５ｄ、６０ｂにシャフト５２を挿通して形成される。これにより、シャフト５２の脱落を防止できる。また、回動部５５と上縁３５ａとの干渉を確実に防止できる。
【００５２】
また、カバー５０を開いて回動部６０の開放端６０ｃが前面パネル３３ａに当接した際に、前面に露出する回動部６０の裏面が第２軸部６２側の端部から上方に向かって前方に傾斜して配置される。このため、全開時に第２軸部６２が前面パネル３３ａの背面側に配される外開きのカバー５０を容易に実現することができる。尚、カバー５０の全開時に回動部６０の裏面が第２軸部６２側の端部から鉛直に配置されるように形成してもよい。
【００５３】
また、排出部３６内にレシートが排出されるため、外開きのカバー５０によってカバー５０がレシート取得のために邪魔にならない。これにより、釣銭及びレシートを容易に同時に取得でき、リモートパネル３２及び洗車機本体１の利便性をより向上できる。
【００５４】
また、回動部５５が金属により形成され、回動部６０が透明な樹脂により形成されるため、カバー５０の耐久性を向上するとともに、排出部３６内の視認性を向上できる。
【００５５】
本実施形態において、リモートパネル３２（料金収受装置）を駐車場、飲料用自動販売機や有料道路の料金精算設備に用いてもよい。
【産業上の利用可能性】
【００５６】
本発明によると、洗車機、駐車場、飲料用自動販売機や有料道路の料金精算設備等の料金精算を行う料金収受装置に利用することができる。
【符号の説明】
【００５７】
１    洗車機本体
２    レール
３    車輪
４    トップブラシ
５    サイドブラシ
６    ロッカーブラシ
７    操作盤
３２  リモートパネル（料金収受装置）
３３  筐体
３３ａ  前面パネル
３３ｂ  シート案内部
３３ｃ  釣銭案内部
３３ｄ  底壁
３４  支柱
３５  開口部
３５ａ  上縁
３５ｂ  下縁
３６  排出部
４１  返却レバー
４２  コイン挿入口
４３  紙幣挿入口
４４  カード挿入口
４５  昇降ボタン
４６  表示部
５０  カバー
５１、５２  シャフト
５５  回動部（第１回動部）
５５ａ  側壁
５５ｂ  軸孔
５５ｃ  側壁
５５ｄ  軸孔
６０  回動部（第２回動部）
６０ａ  側壁
６０ｂ  軸孔
６０ｃ  開放端
６０ｄ  上端
６１    第１軸部
６２    第２軸部
９０  スタンド部
９１  天井部
ＣＡ  被洗浄車両
ＳＴ  進入経路
ＷＡ  洗車機
【図１】
0006260560.tif 000002
【図２】
0006260560.tif 000003
【図３】
0006260560.tif 000004
【図４】
0006260560.tif 000005
【図５】
0006260560.tif 000006
【図６】
0006260560.tif 000007
【図７】
0006260560.tif 000008
【図８】
0006260560.tif 000009
【図９】
0006260560.tif 000010